(57)【要約】      （修正有）【課題】金イオン交換することで、腸内で有害物質を排除することで慢性腎不全の尿毒症を軽減、胆汁酸コール酸を吸着して排泄させることで血中コレステロール値を低下させる。【解決手段】リッツ線の両端に端子６０ａ、６０ｂを備え巻回された平面コイル部１０の一端部に上下に設置されたマグネット２０を備え、コイル外側方向に設置された容器３０内の溶液４０、及び金片５０に酸化還元電位、マイナスイオン電子が放出照射し金属片に非接触により酸化還元電位、マイナスイオン電子を帯電できる酸化還元電位、マイナスイオン電子放出照射帯電を容易かつ高効率な装置。【選択図】図１
2015062647.tif 000002
【特許請求の範囲】
【請求項１】
リッツ線の両端に端子を備え巻回された平面コイル部１０の一端部に上下に設置されたマグネット２０を備え、コイル外側方向に設置された容器３０内の溶液４０、および金片５０に酸化還元電位、マイナスイオン電子が放出照射し金属片に非接触により酸化還元電位、マイナスイオン電子を帯電できることを特徴とする酸化還元電位、マイナスイオン電子放出照射帯電を容易かつ高効率な装置であることを特徴とする。
【請求項２】
請求項１記載のコイル部に酸化還元電位、マイナスイオン電子放出照射部を複数設置した強力な帯電システムであることを特徴とする。
［００１６］
請求項１記載の一つのコイル部に複数のマグネットを内方向に設置したシステムで、中央に設置した容器内の溶液および金属片に酸化還元電位、マイナスイオン電子、放出照射部帯電を容易かつ高効率な装置であることを特徴とする。
【請求項３】
酸化還元電位、マイナスイオン電子、放出照射方向に設置された容器を回転させ液体内の金属片を遠心力により容器内部壁側に移動させることにより強力な酸化還元電位、マイナスイオン電子を金属片に供給できることを特徴とする。
【発明の詳細な説明】
【技術分野】
【０００１】    本発明は、非接触状態で容器内の液体、および液体中の金箔片に酸化還元電位の作用や、マイナスイオン電子放出照射帯電装置に関する。
【背景技術】
【０００２】    近年、金は食品添加物の一つとして認可されており、多くの食品に使われているが、金の表面にチオール基ＳＨを有する物質が吸着すると、表面の金原子に水素が奪われ、金表面とイオウ原子に強固な相互作用が生じる。このことから、消化管内においてＳＨ基を有するシステイン残基を含んだタンパク質やぺプチド、あるいはおならの臭いの元と言われるアリシンなどは金属金に吸着する可能性がある。このとき、腸内細菌によるそれらタンパク質・ペプチド・アリシンの代謝には変化が現れる可能性があるが人体に何の効用も毒性ももたらさないとされているが、金イオン交換することで、腸内で有害物質を排除することで慢性腎不全の尿毒症を軽減、胆汁酸コール酸を吸着して排泄させることで血中コレステロール値を低下させる効果などが期待できる。【０００３】    また白金の触媒作用によって皮膚表面や腸内の活性酸素を除去する抗酸化作用があるとされ、また酸化還元電位の作用や、マイナスイオンによる効果により腸管内で活性酸素を消去し、血中や体内の過剰活性酸素を減少させているのではないかと考えられている。
【先行技術文献】
【０００４】
【特許文献】
【特許文献】  特許公開２００４−０４３４２５  特許公開２００５−１６３１１７  特許出願２００６−５３９５８９  特許公表２００７−５１１５１３  特許公開２００７−１３２９３０
【発明の概要】
【発明が解決しようとする課題】
【０００４】    非接触状態で容器内の液体、および液体中の食品添加物用の金片、白金片のイオン交換により酸化還元電位の作用や、マイナスイオン電子放出照射帯電させることにより慢性腎不全の尿毒症を軽減、胆汁酸コール酸の吸着、排泄で血中コレステロール値を低下、皮膚表面や腸内の活性酸素を除去する抗酸化作用、また血中や体内の過剰活性酸素の減少効果などを発揮させる。
【課題を解決するための手段】
【０００５】    導線が略正方形に巻回された平面コイル部１０には、２つの端子６０ａ、６０ｂを始端および終端を備え、コイル部の一端部に上下に設置されたマグネット２０を備え、コイル外側方向に設置された容器３０内の溶液４０、および金片５０に酸化還元電位、マイナスイオン電子が放出照射し金属片に非接触により酸化還元電位、マイナスイオン電子を帯電できることを特徴とする酸化還元電位、マイナスイオン電子放出照射帯電を容易かつ高効率な装置であることを特徴とする。
【発明の効果】
【０００６】    請求項１に関わる発明によると、平面コイル部１０の一端のコイル部上下に設置されたマグネット２０側より、酸化還元電位、マイナスイオン電子が効率よく放出照射させることができる。【０００７】    請求項２に関わる発明によると、酸化還元電位、マイナスイオン電子が放出照射され容器内の液体、および液体中の食品添加物用の金片、白金片などに供給することができる。【０００８】    請求項３に関わる発明によると、複数組の平面コイル部１０の一端のコイル部上下に設置されたマグネット２０を中央容器の放射状に設置することにより、コンパクトで高効率による酸化還元電位、マイナスイオン電子が放出照射をコンパクトに構成することができる。
【図面の簡単な説明】
【０００９】
【図１】    本発明の実施形態に関わる酸化還元電位、マイナスイオン電子、放出照射システムの基本を示す側面観模式図。
【図２】    本発明の実施形態に関わる酸化還元電位、マイナスイオン電子、放出照射部を複数設置したシステムの上面観模式図。
【図３】    本発明の実施形態に関わる酸化還元電位、マイナスイオン電子、放出照射部を一つのコイルに複数のマグネットを設置したシステムの上面観模式図。
【図４】    本発明の実施形態に関わる酸化還元電位、マイナスイオン電子、放出照射システムであって、中央に設置された容器を回転させ液体内の金属片を遠心力により容器内部壁側に移動させることにより強力な酸化還元電位、マイナスイオン電子を金属片に供給できることを示す側面観模式図。
【発明を実施するための形態】
【００１０】    以下、本発明の実施形態に係る酸化還元電位、マイナスイオン電子、放出照射システムについて図面に基づいて説明する。なお以下の説明において、コイル部は略正方形に巻回されているが、略長方形を含める略矩形、円形、楕円形、多角形などのような形状であってもよい。
【００１１】    本実施の形態におけるコイル部１０は、略長方形を含める略矩形、円形、楕円形、多角形などのような形状の中空部の体格する辺間距離が１５ｍｍから８０ｍｍとなっている。
【００１２】    本実施の酸化還元電位、マイナスイオン電子、放出照射システムは、コイル部１０の一端のコイル部上下に設置されたマグネット２０を備え、コイル外側方向に設置された容器３０内の溶液４０、および食品添加物である金属片５０を備え、コイルには２つの端子６０ａ、６０ｂを始端および終端したことを特徴とする。
【００１３】    コイルには、２つの端子６０ａ、６０ｂを始端および終端として、線径が０．１ｍｍ１．５ｍｍの同一断面積を持つリッツ線１本で巻回され、外部電源である商用電流からの電流をコイル部に供給する。
【実施例】
【００１４】    図１は、本発明の第１の実施の形態による酸化還元電位、マイナスイオン電子、放出照射システムの構成を示すブロック図である。本実施例の酸化還元電位、マイナスイオン電子、放出照射システムは、コイル部１０の一端のコイル部上下に設置されたマグネット２０を備え、コイル外側方向に設置された容器３０内の溶液４０、および食品添加物である金属片５０を備え、コイルには２つの端子６０ａ、６０ｂを始端および終端を備える。【００１５】    図２は、本発明の第２の実施の形態による酸化還元電位、マイナスイオン電子、放出照射部を複数設置したシステムのブロック図である。【００１６】    図４は、本発明の第４の実施の形態による酸化還元電位、マイナスイオン電子、放出照射部を一つのコイルに複数のマグネットを設置したシステムのブロック図である。【００１７】    図５は、本発明の第５の実施の形態による酸化還元電位、マイナスイオン電子、放出照射システムであって、中央に設置された容器を回転させ液体内の金属片を遠心力により容器内部壁側に移動させることにより強力な酸化還元電位、マイナスイオン電子を金属片に供給できることを示すブロック図である。
【産業上の利用可能性】
【００１８】    本発明によれば、酸化還元電位、マイナスイオン電子、放出照射システムにより、非接触状態で容器内の液体、および液体中の食品添加物用の金片、白金片のイオン交換により酸化還元電位の作用や、マイナスイオン電子放出照射帯電させることにより慢性腎不全の尿毒症を軽減、胆汁酸コール酸の吸着、排泄で血中コレステロール値を低下、皮膚表面や腸内の活性酸素を除去する抗酸化作用、また血中や体内の過剰活性酸素の減少効果などに発揮でき、健康維持に貢献できる。
【符号の説明】
【００１９】１００  酸化還元電位、マイナスイオン電子、放出照射システム
１０  コイル部
２０  マグネット
３０  容器
４０  溶液
５０  食品添加物金属片
６０  端子
【図１】
2015062647.tif 000003
【図２】
2015062647.tif 000004
【図３】
2015062647.tif 000005
【図４】
2015062647.tif 000006